(57)【要約】【課題】手指消毒液を入れた携帯用消毒液ボトルに取付けたポンプの操作回数を確実に計数する操作回数表示装置を提供する。【解決手段】消毒液を収容する携帯用消毒液ボトルの頭部のキャップと手指消毒用のポンプの本体鍔部との隙間に着脱可能に嵌合するフレームと、フレームに固定される本体ケースと、フレームに固定端を支持固定され可動端に設けた磁石と、ポンプのノズルヘッドの上下動に追従して前記磁石の位置を変位させるバネと、本体ケースに設けられてノズルキャップの押下げに伴う磁石の近接によって閉路するリードスイッチと、リードスイッチの閉路に連動して計数値をカウントアップする計数手段と、押ボタンの操作に連動して計数手段の計数値を表示パネルに表示する表示ドライブ手段と、リードスイッチが所定期間内に複数回閉路した場合にカウントアップを無効にする計数制限手段とを設けてノズルヘッドの連続押下操作のカウントを無効にする。【選択図】図１
2014151172.tif 000002
【特許請求の範囲】
【請求項１】
消毒液を収容する携帯用消毒液ボトルの頭部に螺合するキャップと手指消毒用のポンプの本体鍔部との隙間に着脱可能に嵌合するフレームと、前記フレームに固定される本体ケースと、前記フレームまたは前記本体ケースに固定端を支持固定され可動端に磁石を配し、前記ポンプのノズルヘッドの上下動に追従して前記磁石の位置を変位させるバネと、前記本体ケースに設けられ、前記ノズルキャップの押下げに伴う前記磁石の近接によって閉路するリードスイッチと、前記リードスイッチの閉路に連動して計数値をカウントアップする計数手段と、押ボタンの操作に連動して前記計数手段の計数値を表示パネルに表示する表示ドライブ手段と、前記リードスイッチが所定期間内に複数回閉路した場合にカウントアップを無効にする計数制限手段と、を設けたことを特徴とする手指消毒用ポンプの操作回数計数表示装置。
【請求項２】
前記表示手段は前記本体ケースに設けた押ボタンの押込み操作に連動して計数値を表示し、前記計数手段は前記押ボタンの長押し操作に連動してリセットされることを特徴とする請求項１記載の操作回数表示装置。
【発明の詳細な説明】
【技術分野】
【０００１】  本発明は、携帯用消毒液ボトルに取り付けた手指消毒用ポンプの操作回数計数装置に関する。
【背景技術】
【０００２】  看護師は、院内感染を防止するため病室の入退出時に手指消毒を行っている。そこで、特許文献１には、病室の出入口に消毒液を入れた大型の消毒液ボトルに手指消毒用ポンプを取り付け、ポンプの操作を光学的に検出して計数表示する操作回数計数表示装置が提案されている。【０００３】  しかし、特許文献１の装置のように、病室を入退出する看護師の手指消毒回数を計数しても手指消毒を行わない看護師を特定する事は出来ず、院内感染を防止するには不十分であった。更に、看護師は、入退出時以外にも手指消毒を必要とする場合があり、通常は各自で消毒液を入れた携帯用消毒液ボトルを使用している。【０００４】  そこで、携帯用消毒液ボトルに取付けた手指消毒用ポンプの操作回数を計数すれば、看護師毎の手指消毒の回数を計数することができ、手指消毒回数の少ない看護師に対して手指消毒の励行を指導すれば、院内感染の防止に資することが出来る。
【先行技術文献】
【特許文献】
【０００５】
【特許文献１】実用新案３１１３８３５号公報
【発明の概要】
【発明が解決しようとする課題】
【０００６】  しかし、携帯用消毒液ボトルに取付けた手指消毒用ポンプに、特許文献１のような大型の操作回数計数表示装置を取り付けることはできない。また、特許文献１の操作回数表示装置では、手指消毒用ポンプを連続操作しても操作回数を計数してしまい正確な操作回数を計数表示することも困難である。
【課題を解決するための手段】
【０００７】  そこで、本発明は上述する点に鑑み、消毒液を収容する携帯用消毒液ボトルの頭部に螺合するキャップと手指消毒用のポンプの本体鍔部との隙間に着脱可能に嵌合するフレームと、前記フレームに固定される本体ケースと、前記フレームまたは前記本体ケースに固定端を支持固定され可動端に磁石を配し、前記ポンプのノズルヘッドの上下動に追従して前記磁石の位置を変位させるバネと、前記本体ケースに設けられ、前記ノズルキャップの押下げに伴う前記磁石の近接によって閉路するリードスイッチと、前記リードスイッチの閉路に連動して計数値をカウントアップする計数手段と、押ボタンの操作に連動して前記計数手段の計数値を表示パネルに表示する表示ドライブ手段と、前記リードスイッチが所定期間内に複数回閉路した場合にカウントアップを無効にする計数制限手段とを、設けたことを特徴とする手指消毒用ポンプの操作回数計数表示装置を提案するものである。【０００８】  また、本発明は、前記表示手段は前記本体ケースに設けた押ボタンの押込み操作に連動して計数値を表示し、前記計数手段は前記押ボタンの長押し操作に連動してリセットされることを特徴とする。
【発明の効果】
【０００９】  よって、本発明によれば、携帯用消毒液ボトルの手指消毒用ポンプに簡単に取り付けられ、消毒回数を正しく計数表示することが出来る。
【図面の簡単な説明】
【００１０】
【図１】本発明の一実施例を示す操作回数計数表示装置の外観平面図である。
【図２】本発明の一実施例を示す操作回数計数表示装置の外観側面図である。
【図３】本発明の一実施例の操作回数計数表示装置を手指消毒用ポンプに装着した状態を示す側面図である。
【図４】本発明の一実施例の手指消毒用ポンプが必要量の消毒液を吐出した状態における操作回数計数表示の状態を示す側面図である。
【図５】本発明の一実施例の回路ブロック図を示す。
【発明を実施する為の形態】
【００１１】  以下、本発明の実施形態を図面に従い説明する。
【００１２】  本実施例の操作回数計数表示装置は、図１と図２に示すように、一方にＵ字状の切欠を形成し、他方の上部にプラスチック製の本体ケース１を固定するフレーム７と、固定端を前記本体ケース１と前記フレーム７に挟まれた状態で支持固定され、可動端に磁石６を貫通固定するダブルトーションバネ５とを設けている。
【００１３】  前記本体ケース１は、上面に操作回数を示す液晶表示パネル２と、表示とリセットを兼ねる押ボタン３を設け、内部空間に前記磁石６が近接したことを検出して閉路するリードスイッチ４や図示省略した回路基板等が設けられている。また前記ダブルトーションバネ５は、固定端側を２段に折曲形成し、前記磁石６を貫通支持する可動端側を本体側に少し折り曲げている。
【００１４】  また前記本体ケース１と前記フレーム７は螺着固定されている。前記本体フレーム７にはボタン電池を収納する空間が形成されており、前記フレーム７を挟んで前記本体ケース１と対向する部分にはプラスチック製の電池蓋８が螺着固定されている。
【００１５】  図３に示すように、本実施例の操作回数表示装置は、消毒液を収容する携帯用消毒液ボトル９の頭部に螺合するキャップ１０に取り付けた手指消毒用のポンプ１１の本体鍔部１２に、嵌め込まれて使用されるものであり、前記本体鍔部１２と前記キャップ１０の間に形成される隙間に前記フレーム７を差込んだ状態で、前記フレーム７のＵ字状切欠と隙間の径小部分を当接させると共に、前記ダブルトーションバネ５の固定端に折曲形成した固定側段部とフレーム７で前記本体鍔部１２を挟持している。
【００１６】  この状態で、ポンプのシャフトに固定されたノズルヘッド１３は、非操作位置にあり、前記ダブルトーションバネ５の可動側が前記ノズルヘッド１３の下部に当接している。尚、本実施例の操作回数計数表示装置は、手指消毒を繰り返して前記携帯用消毒液ボトル９の消毒液が空になった場合、前記フレーム７を前記キャップ１０と前記本体鍔部１２の隙間から取り外して、新たなボトルに取付けられるように構成されている。
【００１７】  図４は、前記ノズルヘッド１３を押し下げ操作して、丁度必要量の消毒液が前記ノズルヘッド１３のノズルから吐出された状態における前記ノズルヘッド１３の位置と前記ダブルトーションバネ５の状態を示しており、前記ノズルヘッド１３の押し下げ操作により湾曲させられた前記ダブルトーションバネ５の可動端に取り付けられた磁石６が図示する位置に移動したとき、前記リードスチッチ４が磁気を感知して閉じるように、前記ダブルトーションバネ５の可動端側が少し下方に折り曲げられている。この折り曲げ量は、前記リードスイッチ４の感度や前記磁石６の磁界強度に応じて適宜調整されている。
【００１８】  よって、前記ノズルヘッド１３が図４に示す位置から更に押し下げられた場合は余分な消毒液が吐出され前記リードスイッチ４は閉路したままになるが、図４に示す位置まで押し下げられない場合は消毒液の吐出量が不足し前記リードスイッチ４は閉路されないので消毒操作回数に計数されない。尚、前記ノズルヘッド１３から手を放して押し下げ操作を解除すれば、ポンプと前記ダブルトーションバネ５の復元力により図３の状態に戻る。
【００１９】  図５に示すように、本実施例の操作回数表示装置内の電気回路は、前記リードスイッチ４と前記押ボタン３の押し込み操作に連動して閉路する表示スイッチ１４をマイクロコンピュータ１５の入力側に設けており、前記マイクロコンピュータ１５の出力側には前記液晶表示パネル２が接続されている。
【００２０】  更に、前記マイクロコンピュータ１５内部には機能として、スイッチの開閉を検出するセンシング手段１６と、前記リミットスイッチ４の閉路を検知するセンシング出力を入力して出力するゲート手段１９と、センシング出力発生後５秒間カウントアップ制限出力をゲート手段１９に供給する計数制限出力発生手段１７と、ゲート出力をカウントアップ計数する計数手段１８と、前記表示スイッチ１４の閉路を検出するセンシング出力発生に基づき計数値を表示出力に変換して前記液晶表示パネル２に供給する表示ドライブ手段２０と、前記表示スイッチ１４の閉路を検出するセンシング出力が２秒以上出力されたことを検出してリセット出力を前記計数手段１８に供給するリセット出力発生手段２１を、それぞれ配している。
【００２１】  前記マイクロコンピュータ１５は、前記リミットスイッチ４および前記表示スイッチ１４が開路されてセンシング出力が出力されていない通常の状態では、センシング手段１６のみが駆動されてスリープモードを保っている。このスリープモードで、いずれかのスイッチが閉路されてセンシング出力が発生すると一時的に前記センシング手段１６以外の手段が選択的にアクティブモードに移行するよう構成されており、ボタン電池２２の消耗を低減している。
【００２２】  以下、使用者の操作に伴う前記マイクロコンピュータ１５の動作について説明する。
【００２３】  まず、使用者は、操作回数計数表示装置が取り付けられた前記携帯用消毒液ボトル９を、例えば毎朝バンド等で腰に取付けた際に、前記押ボタン３を２秒以上長押しする。この押ボタン操作によって表示スイッチ１４が閉路され、前記表示ドライブ手段２０と前記計数手段１８と前記リセット出力発生手段２１がスリープモードからアクティブモードになる。その結果、前記表示ドライブ手段２０は、前記液晶表示パネル２に前記計数手段１８の出力値（前日の手指消毒回数）を表示させる。
【００２４】  前記押ボタン３の長押しにより、２秒以上前記表示スイッチ１４が閉路されると前記リセット出力発生手段２１が前記計数手段１８の計数値をリセットされ、前記液晶パネル２にはゼロが表示される。
【００２５】  前記表示スイッチ１４が一旦閉路されると、前記表示ドライブ手段２０と前記計数手段１８は１０秒間、前記リセット出力発生手段２１は２秒間アクティブモードを保ち、その後スリープモードに戻る。従って、前記液晶表示パネル２は１０秒間表示状態を保つ。
【００２６】  その後、使用者が前記ノズルヘッド１３を所定量以上押下げると、前記リードスイッチ４が閉路し、センシング出力が発生し前記ゲート手段１９と前記計数手段１８と前記制限出力発生手段１７が５秒間アクティブモードに陥り、まず前記ゲート手段１９を通過するセンシング出力を前記計数手段１８が計数して計数値が１回だけカウントアップされる。
【００２７】  前記制限出力発生手段１７は、センシング出力が入力される度に５秒間制限出力を発生し続けるため、５秒以内に前記ゲート手段１９に入力されるセンシング出力の通過を阻止する。その結果、前記ノズルヘッド１３の押下げ後、５秒以上経過して前記ノズルヘッド１３が押下げられた場合にのみ計数値はカウントアップされ、例えば４秒間隔で前記ノズルヘッド１３を何度押下げても計数値はカウントアップされない。
【００２８】  前述する本実施例では、一旦押ボタン３を操作すると液晶表示パネル２に１０秒間計数値が表示されるが、本発明においてその期間は１０秒間に限定されるものではない。また本実施例では、押ボタン３を２秒間長押しした場合に計数手段１８がリセットされるが、本発明においてその期間は２秒間に限定されるものではない。
【００２９】  更に、本実施例では、５秒以内にノズルヘッド１３が何度押下げられてもカウントアップしないように構成しているが、本発明においてその間隔は５秒に限定されるものではなく、タイミングに応じてその間隔を変化させても良い。
【００３０】  また、本実施例ではリング状の磁石６を貫通支持するためダブルトーションバネ５を採用したが、板バネに置き換えても良いことは言うまでもない。
【００３１】  尚、本発明における計数制限手段は、本実施例において前記ゲート手段１９と前記制限出力発生手段１７で構成されている。
【００３２】  また、本発明における計数手段、表示ドライブ手段、計数制限手段等の機能ブロックは、必ずしもソフトウエアで構成される必要はなく、ハードウエア回路で構成しても良いことはいうまでもない。
【符号の説明】１・・・・・・・本体ケース
２・・・・・・・液晶表示パネル
３・・・・・・・押ボタン
４・・・・・・・リードスイッチ
５・・・・・・・ダブルトーションバネ
６・・・・・・・永久磁石
７・・・・・・・フレーム
９・・・・・・・携帯用消毒液ボトル
１０・・・・・・キャップ
１１・・・・・・ポンプ
１２・・・・・・本体鍔部
１３・・・・・・ノズルキャップ
１７・・・・・・制限出力発生手段
１８・・・・・・計数手段
１９・・・・・・ゲート手段
２０・・・・・・表示ドライブ手段
【図１】
2014151172.tif 000003
【図２】
2014151172.tif 000004
【図３】
2014151172.tif 000005
【図４】
2014151172.tif 000006
【図５】
2014151172.tif 000007